(57)【要約】      （修正有）【課題】陳列時にトランクスや女性用の下着の全体の形態を分かりやすく見せて購買意欲を高めつつも、しっかりと保持することができる紙製の商品陳列用ハンガーを提供する。【解決手段】商品陳列用ハンガーは、フックと、一枚の台紙を折りたたんで形成される本体部５を備えている。本体部５は、フックを通して保持するための孔を有する上端部５ｈと後方上段前面部５ａと前方下段前面部５ｂと前方下段後面部５ｄと後方下段前面部５ｅと後面部５ｃと右端部５ｉと左端部５ｊと差込雄部５ｇを有している。後面部５ｃには、差込雄部５ｇを差し込む差込雌部５ｃ１が設けられる。【選択図】図３
0003232406.tif 000002
【実用新案登録請求の範囲】
【請求項１】
フック（３）と、
一枚の台紙を折りたたんで形成される本体部（５）を備え、
本体部（５）は、フック（３）を通して保持するための孔を有する上端部（５ｈ）と後方上段前面部（５ａ）と前方下段前面部（５ｂ）と前方下段後面部（５ｄ）と後方下段前面部（５ｅ）と後面部（５ｃ）と右端部（５ｉ）と左端部（５ｊ）と差込雄部（５ｇ）を有し、
後方上段前面部（５ａ）の両端に下着を掛止する掛止部（５ａ１、５ａ２）が設けられ、
前方下段後面部（５ｄ）と後方下段前面部（５ｅ）の上端に下着を掛止する掛止部（５ｄ１、５ｅ１）が設けられ、
後面部（５ｃ）に差込雄部（５ｇ）を差し込む差込雌部（５ｃ１）が設けられる、商品陳列用ハンガー。
【考案の詳細な説明】
【技術分野】
【０００１】
本考案は紙製の商品陳列用ハンガーに関する。
【背景技術】
【０００２】
従来、トランクス等の商品を掛止して陳列棒に吊す場合に使用する商品陳列用ハンガーであって、台紙となる板体の上端縁に溝フックが設けられることによって、台紙の上方にフックが突出しないようにすると共に、商品の通し溝を設けて、商品を安定して掛止し、陳列できるようにすることを目的とした商品陳列用ハンガーがある。（例えば、特許文献１）。
【先行技術文献】
【特許文献】
【０００３】
【特許文献１】実用新案登録第３０７９８１０号
【考案の概要】
【考案が解決しようとする課題】
【０００４】
しかし、特許文献１の商品陳列用ハンガーは、特許文献１の図４に示すように、トランクス１５を掛止帯６ｂに掛止されるように半折されるため、陳列時にトランクス１５の全体の形態が不明であり、購買意欲を刺激することができないという問題がある。
【０００５】
本考案はこのようなことに鑑みてなされたものであり、陳列時にトランクスや女性用の下着の全体の形態を分かりやすく見せて購買意欲を高めつつも、しっかりと保持することができる紙製の商品陳列用ハンガーを提供することである。
【課題を解決するための手段】
【０００６】
上記目的は、
フック（３）と、
一枚の台紙を折りたたんで形成される本体部（５）を備え、
本体部（５）は、フック（３）を通して保持するための孔を有する上端部（５ｈ）と後方上段前面部（５ａ）と前方下段前面部（５ｂ）と前方下段後面部（５ｄ）と後方下段前面部（５ｅ）と後面部（５ｃ）と右端部（５ｉ）と左端部（５ｊ）と差込雄部（５ｇ）を有し、
後方上段前面部（５ａ）の両端に下着を掛止する掛止部（５ａ１、５ａ２）が設けられ、
前方下段後面部（５ｄ）と後方下段前面部（５ｅ）の上端に下着を掛止する掛止部（５ｄ１、５ｅ１）が設けられ、
後面部（５ｃ）に差込雄部（５ｇ）を差し込む差込雌部（５ｃ１）が設けられる、商品陳列用ハンガー（１）、
によって達成される。
【考案の効果】
【０００７】
本考案によれば、陳列時にトランクスや女性用の下着の全体の形態を分かりやすく見せて購買意欲を高めつつも、しっかりと保持することができる紙製の商品陳列用ハンガーを提供することができる。
【図面の簡単な説明】
【０００８】
【図１】本考案の実施形態による商品陳列用ハンガー１の正面図である。
【図２】本考案の実施形態による商品陳列用ハンガー１の背面図である。
【図３】本考案の実施形態による商品陳列用ハンガー１の本体部５の展開図である。
【図４】本考案の実施形態による商品陳列用ハンガー１に下着１０を吊るした状態の正面図である。
【考案を実施するための形態】
【０００９】
本考案の実施形態による商品陳列用ハンガー１について、図１乃至図４を用いて説明する。なお、以下の全ての図面においては、理解を容易にするため、各構成要素の寸法や比率などは適宜異ならせて図示している。
【００１０】
図１は、本考案の実施形態による商品陳列用ハンガー１の正面図であり、図２は、商品陳列用ハンガー１の背面図である。図３は、商品陳列用ハンガー１の本体部の展開図であり、図４は、商品陳列用ハンガー１に下着１０を吊るした状態の正面図である。なお、図３の図中に示す点線は、折り目を示し、実線は外形を示している。
【００１１】
本考案の実施形態による商品陳列用ハンガー１は、フック３と一枚の台紙を折りたたんで形成する本体部５で構成される。フック３は、プラスチック等の合成樹脂で形成される場合があってもよいし、紙製であってもよい。
【００１２】
本体部は、少なくとも、フック３を通して保持するための孔を有する上端部５ｈと後方上段前面部５ａと前方下段前面部５ｂと前方下段後面部５ｄと後方下段前面部５ｅと後面部５ｃと右端部５ｉと左端部５ｊと差込雄部５ｇと前方下段後面部５ｆを有する構成である。後面部５ｃには、差込雄部５ｇを差し込む差込雌部５ｃ１が設けられる。
【００１３】
商品陳列用ハンガー１は、正面に後方上段前面部５ａと前方下段前面部５ｂが位置し、後方上段前面部５ａの両端には、掛止部５ａ１、５ａ２が設けられる。掛止部５ａ１、５ａ２は、台紙の端部をギザギザにすることで形成される。前方下段前面部５ｂは後方上段前面部５ａよりも前方に位置する構成である。また、差込雄部５ｇを差込雌部５ｃ１に差し込むことで、前方下段後面部５ｄと後方下段前面部５ｅの間に下着１０を通す空間が設けられる。後方上段前面部５ａに下着１０を巻き込ませ、下着１０を後方上段前面部５ａ及び前方下段後面部５ｄと後面部５ｃ及び後方下段前面部５ｅで挟圧することで、本体部５に下着１０が保持される。
【００１４】
本体部５を折り畳んだ状態において、前方下段後面部５ｄと後方下段前面部５ｅの上端部に掛止部５ｄ１、５ｅ１が設けられる。掛止部５ｄ１、５ｅ１は、台紙の端部をギザギザにすることで形成される。図１に示すように、掛止部５ｄ１、５ｅ１は、前方下段前面部５ｂの後ろ側に位置している。このため、前方下段前面部５ｂによる挟み込みの圧力が掛止部５ｄ１、５ｅ１に及ぶため、下着１０の保持力が高められる。
【００１５】
このように、本実施形態の商品陳列用ハンガー１は、台紙の両端に設けられた掛止部と当該掛止部に掛り止めされた下着を前方向に位置し掛止部を有する台紙と後方に位置し掛止部を有する台紙で挟圧して保持するため、下着の全体をわかりやすく見せつつも、確実に保持することが可能となる。
【００１６】
本考案は、上述の実施の形態に限らず種々の変形が可能である。また、上述の各実施の形態は、本考案の好適な一例であるので、技術的に好ましい種々の限定が付されているが、本考案の範囲は、上述の説明によって不当に限定されるものではない。また、上述の各実施の形態で説明される構成の全てが本考案の必須の構成要件ではない。また、上述の各実施の形態で説明される構成は相互に組み合わせることが可能である。
【産業上の利用可能性】
【００１７】
本考案は、商品陳列用ハンガーにおいて広く利用可能である。
【符号の説明】
【００１８】
１  商品陳列用ハンガー
３  フック
５  本体部
５ａ  後方上段前面部
５ｂ  前方下段前面部
５ｃ  後面部
５ｄ  前方下段後面部
５ｅ  後方下段前面部
５ｆ  前方下段後面部
５ｇ  差込雄部
５ｈ  上端部
５ｉ  右端部
５ｊ  左端部
５ａ１、５a２、５ｄ１、５ｅ１  掛止部
５ｃ１  差込雌部
【図１】
0003232406.tif 000003
【図２】
0003232406.tif 000004
【図３】
0003232406.tif 000005
【図４】
0003232406.tif 000006